(57)【特許請求の範囲】
【請求項１】
住戸における天井側に配置した送気管と、
前記送気管に設けられ、該送気管の伸延方向に沿って所定の間隔で配置された複数の開口部と、
前記住戸の居住空間からの排気又は該居住空間への給気を行う換気装置と、を備え、
前記換気装置の空気出入部を、前記複数の開口部のいずれかに対して選択的に接続し、該空気出入部が接続されない前記開口部を閉塞して構成した、
ことを特徴とする換気設備。
【請求項２】
前記送気管は前記住戸のスラブ中に複数埋設されており、
前記送気管の開口部は、前記スラブ下面側に突出して形成されている、
ことを特徴とする請求項１記載の換気設備。
【請求項３】
複数層状のスラブと、
前記スラブ間に設けた複数の住戸と、
前記住戸に対して設けた請求項１又は２記載の換気設備と、を備えた、
ことを特徴とする集合住宅。
【発明の詳細な説明】
【０００１】
【発明の属する技術分野】
本発明は、住宅等において換気等を行うための換気設備及び該換気設備を備えた集合住宅に関する。
【０００２】
【従来の技術】
従来、マンションなどの住宅においては、キッチン、便所、浴室などでの換気を行うための換気設備が備えられている。このような換気設備では、吸引した空気を外部に送るため、或いは外部から取り入れた空気を送るためのダクトが、間取りに合わせて天井側に配管されている。
【０００３】
【発明が解決しようとする課題】
住宅の間取りを自由に変更したいという要望があり、マンションなどでも竣工後に居住者の意向で間取りの変更を行うことがある。しかし、キッチン、便所、浴室など、換気が必要な部分を移動させると、移動前の間取りに合わせて配管されているダクトの配管接続位置を利用するためには、配管用の梁型を天井部に設けなければならないことが多い。この作業は手間とコストがかかり、間取り変更をする上での大きな支障となっている。
【０００４】
そこで本発明は上記事情に鑑み、間取り変更において手間とコストがかからない換気設備及び該換気設備を備えた集合住宅を提供することを目的とする。
【０００５】
【課題を解決するための手段】
上記課題を解決するための本発明のうち請求項１は（例えば図１及び図２参照）、住戸（１１）における天井側に配置した送気管（２０）と、前記送気管（２０）に設けられ、該送気管（２０）の伸延方向に沿って所定の間隔で配置された複数の開口部（２３）と、前記住戸（１１）の居住空間からの排気又は該居住空間への給気を行う換気装置（３０，４０）と、を備え、前記換気装置（３０，４０）の空気出入部（３２）を、前記複数の開口部（２３）のいずれかに対して選択的に接続し、該空気出入部（３２）が接続されない前記開口部（２３）を閉塞して構成したことを特徴とする換気設備にある。
【０００６】
また本発明のうち請求項２は、前記送気管（２０）は前記住戸（１１）のスラブ（３）中に複数埋設されており、前記送気管（２０）の開口部（２３）は、前記スラブ（３）下面側に突出して形成されていることを特徴とする請求項１記載の換気設備にある。
【０００７】
また本発明のうち請求項３は、複数層状のスラブ（３）と、前記スラブ（３）間に設けた複数の住戸（１１）と、前記住戸（１１）に対して設けた請求項１又は２記載の換気設備と、を備えたことを特徴とする集合住宅にある。
【０００８】
［作用］
上記構成により、間取りの変更時に換気装置（３０，４０）を移動させる場合、該換気装置（３０，４０）の移動先近傍にある複数の開口部（２３）のうち適宜な開口部（２３）を選んで空気出入部（３２）を接続しなおす。
【０００９】
なお、上記括弧内の符号は図面と対照するためのものであり、本発明の構成を何等限定するものではない。
【００１０】
【発明の効果】
以上説明したように本発明のうち請求項１によれば、間取り変更時に換気装置を移動させる場合、適宜な位置の開口部を選択的に利用して空気出入部に接続して使用できるので、新たに配管し直す作業が不要であり、従って配管用の梁型を出す必要が無く、間取り変更において手間とコストがかからない。また、これにより間取り変更が簡単に行えるようになる。
【００１１】
また本発明のうち請求項２によれば、送気管がスラブ中に複数埋設されているので、その分、開口部が広範囲に配置でき、換気装置の移動可能範囲が広がる。
【００１２】
また本発明のうち請求項３によれば、マンション等の集合住宅において間取り変更が簡単になる。
【００１３】
【発明の実施の形態】
図１は本実施形態の排気設備が設けられたマンションの一部を示す模式平面図、図２は図１のＸ１−Ｙ１断面図である。マンション１は、図１に示すように、複数の柱２及び梁（図示せず）と、これらに支持された複数層のスラブ３と、隣接する柱２，２間及び上下の梁間に設置された戸境壁４及び外壁５等からなる建物構造体１０を有している。建物構造体１０には、上下に隣接するスラブ３，３間においてフロアがそれぞれ形成され、各フロアには複数の住戸１１が例えば一列に並んで配設されている。また各フロアには前記住戸１１の列に沿って共用廊下１３が設置されている。
【００１４】
なお、集合住宅の一例としてマンションを挙げたが、これはアパートや団地等のその他の集合住宅でもよい。また各フロアにおける住戸の配列態様等は本実施形態の例だけに限定されるものではない。住戸の配列態様は、直線配列型以外に、Ｌ字型、コの字型、環状など様々な配列態様が可能である。共用廊下は片側開放型以外にも両側を住戸に挟まれたものや吹抜を囲んだものなど様々な形態が可能である。
【００１５】
各住戸１１における天井側のスラブ３内には、図１及び図２に示すように、複数の排気管２０（送気管）が適宜な間隔で互いに平行に埋設されている。本実施形態のスラブ３はボイドスラブであり、そのボイド部を利用して例えばスパイラル管等からなる排気管２０が埋設されている。本実施形態では図１の二点差線で示すように、複数の排気管２０を梁間方向（図１の紙面左右方向）に沿って設置している。なお、複数の排気管２０はスラブ３における強度を損なわない程度の密度で埋設されている。スラブ３のボイド部の形成方向により、排気管２０は梁間方向以外の方向、例えば桁行方向等に沿って配置することも可能である。
【００１６】
各住戸１１に対する上記複数の排気管２０は、これら排気管２０の伸延方向一端側、図１の例では共用廊下１３とは反対側のバルコニ部１４の位置で外部に対する排気口２１（矢印で略記）をそれぞれ設けている。図１の例以外にも、例えば排気管２０の排気口２１を共用廊下側に設けてもよい。
【００１７】
各排気管２０の途中には、図１（二重丸印）及び図２に示すように、接続用開口部２３が、該排気管２０の伸延方向における所定の間隔で複数設けられている。接続用開口部２３はＴ字状に設けられ、スラブ３内を下方に伸びて該スラブ３外下方に突出している。
【００１８】
図１に示すように住戸１１には、キッチンＫ、便所Ｔ、浴室Ｂ等が配設されており、これらにはそれぞれ、換気のためのファン及びその駆動装置等を備えた換気装置３０が設けられている（図１では破線で表示）。具体的には、図２に示すように、天井側のスラブ３の下方には天井部材１６が設置されており、該天井部材１６の下面側にレンジフード等の吸気部３１を露出させる形で上記換気装置３０が固定されている。
【００１９】
換気装置３０は、吸気部３１を介して吸気した空気を取り入れるユニットボックス３３を有しており、これは天井部材１６とスラブ３の間である天井ふところ１７に取り付けられている。ユニットボックス３３の上部には空気出入部である接続穴３２が形成されている。接続穴３２には該換気装置３０に対応した位置にある排気管２０の接続用開口部２３が挿入され接続されている。
【００２０】
なお、図２の紙面左側のユニットボックス３３（Ｔ字ボックス）は左右２本の排気管２０，２０にわたる大きさであり、該ユニットボックス３３に形成された２個の接続穴３２，３２が左右の排気管２０の接続用開口部２３にそれぞれ接続されている。これにより大きな排気容量を確保している。但し、換気装置に接続する接続用開口部２３は、２個に限らず、３個、４個…など排気容量に応じて何個でもよく、また図２の紙面右側のユニットボックス３３のように１個でもよい。
【００２１】
また、図２に示すように、換気装置に接続されていない接続用開口部３２には閉塞用のキャップ２５が着脱自在に装着されている。
【００２２】
更に住戸１１には上記以外にも２４時間換気のための換気装置４０（図１の破線で表示）が設けられており、この換気装置４０の空気出入部である接続穴（図示せず）も適宜な接続用開口部３２に接続されている。
【００２３】
マンション１及びその排気設備は以上のように構成されているので、各住戸１１においては、換気装置３０，４０を作動させることにより、キッチンＫ、便所Ｔ、浴室Ｂ、或いはその他の居住空間等より吸引した空気がユニットボックス３３から接続穴３２及び接続用開口部２３を介して排気管２０に送気される。排気管２０に送気された空気は、該排気管２０で送られて排気口２１を介して外気中に排気される。つまり住戸１１内での換気が適切に行われる。
【００２４】
その後、住戸１１の間取りを変更する場合には、例えばキッチンＫ、便所Ｔ、浴室Ｂ等の位置を変更する。これに伴って換気装置３０，４０も移動することになる。この場合は、換気装置３０，４０のユニットボックス３３を、これらが接続されていた接続用開口部２３から外し、該接続用開口部２３には代りにキャップ２５を装着して閉塞しておく。
【００２５】
次いで、換気装置３０，４０を新たな位置に設置する際、これら換気装置３０，４０の設置位置近傍にある接続用開口部２３からキャップ２５を外し、ここにユニットボックス３３の接続穴３２を接続する。これにより換気装置３０，４０を介した換気は上述した間取り変更前の場合と同様に適切に行える。
【００２６】
以上のように、間取り変更時に換気装置等を移動させる場合も、適宜な位置の接続用開口部２３を選択的に利用して換気装置の空気出入部と接続して使用できるので、間取り変更に手間がかからず、コストもかからない。これにより間取り変更が簡単になる。
【００２７】
また本実施形態では、排気管２０はスラブ３に予め埋め込んでいる。これによりスラブ３の下面側に配管する必要が無くなり、天井ふところ１７の空間高さを小さくできるので、階高を居住空間として有効に使用できる。また、天井ふところ１７を有効に利用できるため大型の換気装置やＴ字ボックスなどの設置が容易になる。
【００２８】
なお、上述した実施形態ではマンション等の集合住宅を例に挙げたが、これ以外にも一戸建て住宅などに適用することも可能である。
【００２９】
他のバリエーションとして、上記スラブは、必ずしもボイドスラブで無くともよく、例えば、基本的にボイドを有しないスラブでもよい。この場合はスラブ打設時に排気管２０を埋設することになる。また、排気管２０をスラブ３の下側（天井ふところ１７）に配管する構成でも構わない。従って、排気管は梁間方向以外の方向、例えば桁行方向等に沿って配置してもよいし、排気管どうしが必ずしも平行でなくともよい。例えば排気管どうしが交差接続してもよい。
【００３０】
また、スラブに埋設する排気管は複数設けた例を説明したが、排気管は１本又はそれ以上の何本でもよい。排気管は１つの住戸あたり１本又はそれ以上であってもよいし、複数の住戸で１本又はそれ以上の排気管を共有してもよい。排気管は直線状である必要は無く、屈曲、蛇行、分岐、など、どのような形態でも可能である。
【００３１】
また、上述した例では使用しない接続用開口部２３はキャップ２５で閉塞しておくが、キャップ２５の代りに（或いは併用して）、接続用開口部２３に開閉自在なバルブ等の開閉手段を設けてもよい。
【００３２】
上述した例では、排気又は給気のための送気管の一例として、排気のための排気管２０を例示したが、本発明は、排気だけでなく給気を行うものでも構わない。従って、上述した排気管を給気管と置き換えて換気設備を構成することができる。この場合、換気装置は給気管を介して外部から取り入れた空気を居住空間内に送り出す作用をなす。
【図面の簡単な説明】
【図１】本実施形態の排気設備が設けられたマンションの一部を示す模式平面図。
【図２】図１のＸ１−Ｙ１断面図。
【符号の説明】
１      集合住宅（マンション）
３      スラブ
１１    住戸
２０    送気管（排気管）
２３    開口部（接続用開口部）
３２    空気出入部（接続穴）
３０    換気装置
４０    換気装置
【図１】
0003671230.tif 000002
【図２】
0003671230.tif 000003